(57)【要約】  照明技術が開示される。照明技術は様々な形態で具現化することができる。これらの形態のうちのいくつかには、電球、アダプタ、基部、照明器具などが含まれる。【選択図】図１
2019530196.tif 000002
【特許請求の範囲】
【請求項１】
装置であって、
台と、ケースと、ＬＥＤフィラメントとを含む電球を含み、前記台は前記ケースに結合され、前記台は前記ＬＥＤフィラメントに結合され、前記ケースは前記ＬＥＤフィラメントを封入し、前記ケースは管状であり、前記ＬＥＤフィラメントは前記ケースに沿って長手方向に延在する、前記装置。
【請求項２】
前記ケースは前記台に対して遠位の端部を含み、前記ケースは、前記台と前記端部との間で直径が均一である、請求項１に記載の装置。
【請求項３】
前記台は、前記ＬＥＤフィラメントに電力供給するための雌型部分を含む、請求項１〜２のいずれか一項に記載の装置。
【請求項４】
前記台は、前記ＬＥＤフィラメントに電力供給するための雄型部分を含む、請求項１〜２のいずれか一項に記載の装置。
【請求項５】
前記ケースは長手方向に直線状である、請求項１〜４のいずれか一項に記載の装置。
【請求項６】
前記台は、前記ケースと面一である側壁を含む、請求項１〜５のいずれか一項に記載の装置。
【請求項７】
前記ケースは、前記台から離れる方向に延在する長さを含み、前記ケースは、前記長さを横断する平面に沿った断面において多角形である、請求項１〜６のいずれか一項に記載の装置。
【請求項８】
前記ケースは、前記台から離れる方向に延在する長さを含み、前記ケースは、前記長さを横断する平面に沿った断面においてコーナーレスである、請求項１〜６のいずれか一項に記載の装置。
【請求項９】
前記ＬＥＤフィラメントは複数のＬＥＤフィラメントを含む、請求項１〜８のいずれか一項に記載の装置。
【請求項１０】
前記ＬＥＤフィラメントは互いに平行に延在する、請求項１〜９のいずれか一項に記載の装置。
【請求項１１】
前記ＬＥＤフィラメントは重なり合って延在する、請求項１〜９のいずれか一項に記載の装置。
【請求項１２】
前記電球は支持柱を含み、前記ＬＥＤフィラメントは前記支持柱の回りで編組される、請求項１〜９のいずれか一項に記載の装置。
【請求項１３】
前記ＬＥＤフィラメントは前記ケースの共通の側面に沿って延在する、請求項１〜１１のいずれか一項に記載の装置。
【請求項１４】
ねじと壁とを含むアダプタを更に含み、前記ねじは前記壁に結合され、前記壁は、前記電球を収容し、前記ＬＥＤフィラメントに電力供給するように構成された孔を画定する、請求項１〜１３のいずれか一項に記載の装置。
【請求項１５】
複数の光電変換セルを含むディスクと、
前記ディスクを介して支持された収容具であって、前記電球を収容し、前記光電変換セルに基づいて前記ＬＥＤフィラメントに電力供給するように構成された前記収容具と
を更に含む、請求項１〜１４のいずれか一項に記載の装置。
【請求項１６】
前記ディスクはジグソータイル形状である、請求項１５に記載の装置。
【請求項１７】
装置であって、
ねじと壁とを含むアダプタを含み、前記ねじは前記壁に結合され、前記壁は、前記電球を収容し、前記電球に電力供給するように構成された孔を画定する、前記装置。
【請求項１８】
前記孔は、前記電球を係合するように構成された雄型部分を含む基部を含む、請求項１７に記載の装置。
【請求項１９】
前記孔は、前記電球を係合するように構成された雌型部分を含む基部を含む、請求項１７に記載の装置。
【請求項２０】
前記壁は、交差する複数の壁を含む、請求項１７〜１９のいずれか一項に記載の装置。
【請求項２１】
前記孔は複数の孔を含む、請求項１７〜２０のいずれか一項に記載の装置。
【請求項２２】
前記ねじはメモリを含む、請求項１７〜２１のいずれか一項に記載の装置。
【請求項２３】
前記ねじはプロセッサを含む、請求項１７〜２２のいずれか一項に記載の装置。
【請求項２４】
前記ねじはセンサを含む、請求項１７〜２３のいずれか一項に記載の装置。
【請求項２５】
前記ねじは送信機を含む、請求項１７〜２４のいずれか一項に記載の装置。
【請求項２６】
前記ねじは受信機を含む、請求項１７〜２５のいずれか一項に記載の装置。
【請求項２７】
前記孔は、前記電球と係合するように構成されたタブを含む側壁を含む、請求項１７〜２６のいずれか１項に記載の装置。
【請求項２８】
前記孔は、前記電球と磁気的に係合するように構成されている、請求項１７〜２７のいずれか１項に記載の装置。
【請求項２９】
前記孔は、前記電球を締結的に収容するように構成されている、請求項１７〜２８のいずれか１項に記載の装置。
【請求項３０】
前記ねじはエネルギー貯蔵部を含む、請求項１７〜２９のいずれか一項に記載の装置。
【請求項３１】
前記壁は、前記電球を制御するように構成された段階的レベル選択器を含む、請求項１７〜３０のいずれか１項に記載の装置。
【請求項３２】
装置であって、
複数の光電変換セルを含むディスクと、
前記ディスクを介して支持された収容具であって、電球を収容し、前記光電変換セルに基づいて前記電球に電力供給するように構成された前記収容具と
を含む、前記装置。
【請求項３３】
前記収容具は漏斗形状である、請求項３２に記載の装置。
【請求項３４】
前記収容具は、前記電球を係合するように構成された雄型部分を含む、請求項３２〜３３のいずれか１項に記載の装置。
【請求項３５】
前記収容具は、前記電球を係合するように構成された雌型部分を含む、請求項３２〜３３のいずれか１項に記載の装置。
【請求項３６】
前記ディスクは円形状である、請求項３２〜３５のいずれか一項に記載の装置。
【請求項３７】
前記ディスクは四角形状である、請求項３２〜３５のいずれか一項に記載の装置。
【請求項３８】
前記ディスクはジグソータイル形状である、請求項３２〜３５のいずれか一項に記載の装置。
【請求項３９】
前記収容具は、前記電球を収容するように構成された孔を含み、前記孔は、前記電球を係合するように構成されたタブを含む側壁を含む、請求項３２〜３８のいずれか一項に記載の装置。
【請求項４０】
前記収容具は、前記電球を収容するように構成された孔を含み、前記孔は、前記電球と磁気的に係合するように構成されている、請求項３２〜３９のいずれか１項に記載の装置。
【請求項４１】
前記収容具は、前記電球を収容するように構成された孔を含み、前記孔は、前記電球を締結的に収容するように構成されている、請求項３２〜４０のいずれか一項に記載の装置。
【請求項４２】
前記収容具は複数の収容具を含む、請求項３２〜４１のいずれか一項に記載の装置。
【請求項４３】
装置であって、
非ねじ式孔を有する壁を含む照明器具を含み、前記非ねじ式孔は、前記電球を固定的に収容し、前記電球に電力供給するように構成されている、前記装置。
【発明の詳細な説明】
【技術分野】
【０００１】
関連出願の相互参照
本出願は、２０１６年９月１９日に出願された米国仮出願第６２／３９６，７００号の利点を主張するものであり、この仮出願は、あらゆる目的のために参照によってその全体が本明細書に組み込まれる。
【０００２】
本開示は照明に関する。
【背景技術】
【０００３】
本開示において、公知の文献、行為及び／または物品が参照及び／または考察される場合、このような参照及び／または考察は、公知の文献、行為及び／もしくは物品、ならびに／またはこれらの任意の組み合わせが、優先日において、任意の適用可能な法律の条項の下で、公的に利用可能であったこと、一般の人々に公知であったこと、共通の一般知識の一部であったこと及び／もしくは任意の従来技術を構成すること；ならびに／または、本開示が関わり得る何らかの問題を解決しようとする何らかの試みに関連するものとして知られていること、を認めるものではない。更に、いかなるものも放棄されない。
【０００４】
白熱電球は、ワイヤフィラメント、ガラスケース及びエジソンねじを含む。ワイヤフィラメントは、白熱光として知られている可視光でワイヤフィラメントが輝くまで、そのワイヤフィラメントを通して電流を流すことによって高温に加熱される。ガラスケースは、ワイヤフィラメントの蒸散を減少させ、熱損失に対して断熱するために希ガスで充填される。それにより、ワイヤフィラメントの寿命が延びる。ガラスケースにはエジソンねじが付いており、このエジソンねじは、バルブソケットにねじ止めするための標準コネクタとして使用される。
【発明の概要】
【発明が解決しようとする課題】
【０００５】
白熱電球に対する様々な改良が考案されてきた。このような改良のうちのいくつかには、蛍光灯及び発光ダイオード（ＬＥＤ）電球が含まれる。しかしながら、このような改良にも様々な欠点がある。例えば、蛍光灯及びＬＥＤ電球のそれぞれは、電球の形状またはサイズなどの理由により、輸送にかさばる。同様に、蛍光灯及びＬＥＤ電球のそれぞれは、必要に応じて、選択的に交換可能な使用のために組み立てる／分解することができない。更に、蛍光灯及びＬＥＤ電球のそれぞれは、バルブソケットを用いずに使用することができない。加えて、蛍光灯及びＬＥＤ電球のそれぞれは、電池を介して電力供給することができない。更に、蛍光灯及びＬＥＤ電球のそれぞれについて、１つよりも多い電球をバルブソケットに取り付けることができない。また、ＬＥＤ電球はヒートシンクを含むが、それによりバルブ設計が複雑化し、コストが増大する。従って、このような欠点のうちの少なくとも１つに対処することを望む要求が存在する。
【課題を解決するための手段】
【０００６】
本開示は、上記の非効率性のうちの少なくとも１つに少なくとも部分的に対処することができる。しかしながら、本開示は、他の技術分野にとって有用であることを示すことができる。従って、以下に記載される様々な特許請求項は、上記の非効率性のいずれかに対処するように必然的に限定されるものとして解釈されるべきではない。
【０００７】
本開示の実施形態によれば、装置は、台と、ケースと、ＬＥＤフィラメントとを含む電球を含み、台はケースに結合され、台はＬＥＤフィラメントに結合され、ケースはＬＥＤフィラメントを封入し、ケースは管状であり、ＬＥＤフィラメントはケースに沿って長手方向に延在する。
【０００８】
本開示の実施形態によれば、装置は、ねじと壁とを含むアダプタを含み、ねじは壁に結合され、壁は、電球を収容し、電球に電力供給するように構成された孔を画定する。
【０００９】
本開示の実施形態によれば、装置は、複数の光電変換セルを含むディスクと、ディスクを介して支持された収容具であって、電球を収容し、光電変換セルに基づいて電球に電力供給するように構成された収容具とを含む。
【００１０】
本開示の実施形態によれば、装置は、非ねじ式孔を有する壁を含む照明器具を含み、非ねじ式孔は、電球を固定的に収容し、電球に電力供給するように構成されている。
【００１１】
本開示は、一組の例示的な添付図面に示された各種形態で具現化され得る。変形は、本開示の一部であるものとして企図され、以下に記載された様々な特許請求の範囲のみによって限定されることに注意されたい。
【００１２】
一組の例示的な添付図面は、本開示の例示的な各種実施形態を示す。このような図面は、必然的に本開示を限定するものとして解釈されるべきではない。同様の番号及び／または類似の番号付与方式は、全体を通じて同様かつ／または類似の要素を指すことができる。
【図面の簡単な説明】
【００１３】
【図１】本開示に従った電球の実施形態の斜視図及び複数のＬＥＤフィラメントを封入する電球ケースの実施形態の拡大図を示す。
【図２】本開示に従った電球の実施形態の断面図を示す。
【図２ａ】本開示に従った電球の基部の実施形態の断面図を示す。
【図３】本開示に従った電球の実施形態の斜視図を示す。
【図３ａ】本開示に従った電球の基部の実施形態の底面図を示す。
【図４】図４ａは、本開示に従ったエジソン基部の実施形態の斜視図を示す。図４ｂは、本開示に従ったエジソン基部の実施形態の上面図を示す。
【図５】本開示に従ったエジソン基部の実施形態の概略図を示す。
【図６】本開示に従ったエジソン基部の複数のバルブ収容部の複数の実施形態の斜視図を示す。
【図７】本開示に従ったパッケージ構成の実施形態の斜視図を示す。
【図８】本開示に従った複数のバルブケースの複数の実施形態の斜視図を示す。
【図９】本開示に従った太陽電池式アセンブリの実施形態の斜視図を示す。
【図９ａ】本開示に従った太陽電池式アセンブリの孔の実施形態の断面図を示す。
【図９ｂ】本開示に従った太陽電池式アセンブリの孔の実施形態の断面図を示す。
【図１０】本開示に従った太陽電池式アセンブリの実施形態の概略図を示す。
【図１１】本開示に従った太陽電池式アセンブリの実施形態の上面図を示す。
【図１２】本開示に従った光電変換基部の実施形態の斜視図を示す。
【図１３】本開示に従った複数の光電変換基部の複数の実施形態の斜視図を示す。
【図１４】本開示に従った電球を収容するように構成された照明器具の実施形態の斜視図を示す。
【図１５】エジソン基部を収容するように構成された照明器具の実施形態の斜視図を示す。この図において、エジソン基部は、本開示に従った電球を収容するように構成されている。
【図１６】本開示に従ったセンサまたは送信機を含むエジソン基部の実施形態の概略図を示す。
【図１７】本開示に従ったセンサまたは送信機を含むエジソン基部の実施形態の斜視図を示す。
【図１８】本開示に従った複数の電球を収容するように構成されたエジソン基部の実施形態の斜視図を示す。
【図１９】本開示に従った複数の電球結合機構の複数の実施形態の斜視図を示す。
【図２０】本開示に従った電池を有するエジソン基部の実施形態の概略図を示す。
【図２１】本開示に従った光特性制御素子を有するエジソン基部の実施形態の斜視図を示す。
【図２２】本開示に従った電池に電気的に結合された光電変換基部の実施形態の斜視図を示す。
【図２３】本開示に従った電池に電気的に結合された光電変換基部の実施形態の概略図を示す。
【図２４】本開示に従った自己学習電池管理システムの実施形態の概略図を示す。
【図２５】本開示に従った自己学習電池管理のためのプロセスの実施形態のフローチャートを示す。
【図２６】本開示に従った複数の光電変換基部のための複数の折れ線の複数の実施形態の概略図を示す。
【図２７】本開示に従った電球を含む懐中電灯の実施形態の斜視図を示す。
【図２８】本開示に従った電球を含む車両の実施形態の斜視図を示す。
【図２９】本開示に従った複数の電球を格納するコンテナの実施形態の断面図を示す。
【図３０】本開示に従ったアダプタ及びこれに結合された電球、ならびに太陽電池式ランタンの実施形態の斜視図を示す。
【図３１】本開示に従った照明装置の実施形態の側面図を示す。
【図３２】本開示に従った照明装置の実施形態の側面図を示す。
【図３３】本開示に従った太陽電池式ランタンの実施形態の斜視図を示す。
【図３４】本開示に従った太陽電池式ランタンの実施形態の斜視図を示す。
【図３５】本開示に従った電球の実施形態の側面図を示す。
【図３６】本開示に従ったモジュールアセンブリの実施形態の側面図を示す。
【図３７】本開示に従った照明装置の実施形態の側面図を示す。
【図３８】本開示に従ったモジュール式部品システムの実施形態の側面図を示す。
【図３９】本開示に従ったモジュール式部品システムの使用の実施形態の側面図を示す。
【図４０】図４０Ａ〜図４０Ｃは、複数の電球の複数の実施形態の複数の側面図を示す。ここで、電球のそれぞれは、本開示に従った各種の光学的特性を有する複数のＬＥＤフィラメントを含む。
【図４１】本開示に従った光度スケールとケルビンスケールとの間の関係の実施形態を表す図を示す。
【発明を実施するための形態】
【００１４】
以下、本開示について、一組の例示的な添付図面を参照してより完全に説明する。これらの図面には、本開示の例示的な実施形態が示されている。しかしながら、本開示は、多くの異なる形態で具現化されてもよく、本明細書に開示された例示的な実施形態に必然的に限定されるものとして解釈されるべきではない。むしろ、例示的な実施形態は、本開示が徹底的かつ完全なものとなり、かつ本開示の各種概念を当業者に十分に伝えるように提供される。
【００１５】
特定の例示的な実施形態に関して記載された特徴は、各種の他の例示的な実施形態に結合されてもよく、従属的に結合されてもよく、かつ／またはそのような実施形態と組み合わされてもよく、従属的に組み合わされてもよい。また、例示的な実施形態の種々の態様及び／または要素は、本明細書に開示されるように、組み合わされてもよく、同様に類似の方法で従属的に組み合わされてもよい。更に、いくつかの例示的な実施形態は、個別的であろうと、かつ／または集合的であろうと、より大きいシステムの構成要素であってもよい。その場合、他の手続きがそれらの出願を優先してもよく、かつ／または、他の方法でそれらの出願を修正してもよい。加えて、本明細書に開示されるように、例示的な実施形態の前に、後に、かつ／またはそれと同時に、複数のステップが要求されてもよい。本明細書に少なくとも開示されるように、任意及び／または全ての方法及び／またはプロセスは、少なくとも１つのエンティティを介して任意の方法で少なくとも部分的に実行できることに注意されたい。
【００１６】
本明細書で使用される各種用語は、直接的または間接的な、全体的または部分的な、一時的または永続的な作為または不作為を意味する場合がある。例えば、要素が、別の要素の「上にある」、別の要素に「接続されている」、または別の要素に「結合されている」と言及されるとき、その要素は、間接的な変形及び／または直接的な変形を含めて、他の要素の上に直接存在する、他の要素に直接接続されている、もしくは他の要素に直接結合されている場合があり、かつ／または仲介的な要素が存在する場合がある。これに対して、要素が別の要素に「直接接続されている」または「直接結合されている」と言及されるときには、仲介的な要素が存在しない。
【００１７】
第１、第２などの用語を本明細書で使用して、各種の要素、構成要素、領域、層及び／または部分について説明する場合があるが、これらの要素、構成要素、領域、層及び／または部分は、そのような用語によって必然的に限定されるべきではない。これらの用語は、ある要素、構成要素、領域、層または部分を別の要素、構成要素、領域、層または部分と区別するために使用される。従って、本開示の様々な教示から逸脱することなく、後述する第１の要素、構成要素、領域、層または部分を、第２の要素、構成要素、領域、層または部分と称することができる。
【００１８】
本明細書で使用される各種用語は、特定の例示的な実施形態を説明するためのものであり、本開示を必然的に限定することを意図しない。本明細書で使用される場合、各種の単数形「ａ」、「ａｎ」及び「ｔｈｅ」は、文脈において特に明確な指示がない限り、各種の複数形も含むことを意図する。各種用語「備える（ｃｏｍｐｒｉｓｅｓ）」、「含む（ｉｎｃｌｕｄｅｓ）」及び／または「備えている（ｃｏｍｐｒｉｓｉｎｇ）」、「含んでいる（ｉｎｃｌｕｄｉｎｇ）」は、本明細書で使用されるとき、記載された特徴、整数、ステップ、操作、要素及び／または構成要素の存在を指定するが、１つ以上の他の特徴、整数、ステップ、操作、要素、構成要素及び／またはこれらの集合の存在及び／または追加を排除しない。
【００１９】
本明細書で使用される場合、用語「または」は、排他的な「または」ではなく、包含的な「または」を意味することを意図する。すなわち、特に明記しない限り、または文脈から明白でない限り、「ＸがＡまたはＢを使用する」は、一組の自然な包含的置換のいずれかを意味することを意図する。すなわち、ＸがＡを使用する場合、ＸがＢを使用する場合、またはＸがＡとＢとの両方を使用する場合、「ＸがＡまたはＢを使用する」は、上述の例のいずれの下でも満たされる。
【００２０】
本開示の例示的な実施形態は、本開示の理想化された実施形態（及び中間構造）の説明図を参照して本明細書に記載される。従って、例えば、製作技術及び／または公差の結果として、説明された各種形状からの変形を予想することができる。従って、本開示の例示的な各種実施形態は、本明細書に説明された領域の様々な特定の形状を必然的に限定するものとして解釈されるべきではなく、例えば、製作の結果として生じる形状の偏差を含むことができる。
【００２１】
任意及び／または全ての要素は、本明細書に開示されるように、単体などであり、同一の、構造的に連続した部分から形成することができ、かつ／または、アセンブリ及び／もしくはモジュールなどであり、個別に製造及び／もしくは接続することができる。任意及び／または全ての要素は、本明細書に開示されるように、付加製造、除去製造及び／または任意の他の種類の製造に関わらず、任意の製造工程を介して製造することができる。例えば、いくつかの製造工程には、三次元（３０）印刷、レーザカット、コンピュータ数値制御ルーティング、ミリング、加圧、スタンピング、真空形成、ハイドロフォーミング、射出成形、リソグラフィなどが含まれる。
【００２２】
任意及び／または全ての要素は、本明細書に開示されるように、部分的であろうと、かつ／または全体的であろうと、固体であり得る、かつ／または固定を含み得る。このような固体としては、金属、ミネラル、非晶質材料、セラミック、ガラスセラミック、木及び／もしくはゴムなどのポリマーなどの有機固体、複合材料、半導体、ナノ材料、生体材料、ならびに／またはこれらの任意の組み合わせなどがある。任意及び／または全ての要素は、本明細書に開示されるように、部分的であろうと、かつ／または全体的であろうと、コーティングであり得る、かつ／またはコーティングを含み得る。このようなコーティングとしては、インクなどの、情報が載っているコーティング、接着剤コーティング、真空シール及び／もしくは熱シールなどの溶融接着剤コーティング、テープライナーなどの剥離コーティング、低表面エネルギーコーティング、色合い、色、色相、彩度、色調、陰、透明、半透明、不透明、発光、反射、燐光、反射防止及び／もしくはホログラフィのためなどの光学コーティング、感光コーティング、不動態、絶縁体、抵抗もしくは導体などのための電子的特性及び／もしくは熱的特性によるコーティング、磁気コーティング、耐水コーティング及び／もしくは防水コーティング、香りコーティング、ならびに／またはこれらの任意の組み合わせなどがある。任意及び／または全ての要素は、本明細書に開示されるように、剛性であり得る、可撓性であり得る、かつ／またはこれらの任意の他の組み合わせであり得る。任意及び／または全ての要素は、本明細書に開示されるように、材料、形状、大きさ、色、及び／または、長さ、幅、高さ、深さ、面積、方向、周囲長、体積、広さ、密度、温度、抵抗などの任意の計測可能な次元において、互いに同一であり得る、かつ／または互いに異なり得る。
【００２３】
特に定義されない限り、本明細書で使用される全ての用語（技術用語及び科学用語を含む）は、本開示が属する技術分野の当業者によって一般的に理解されるのと同じ意味を有する。一般的に使用される辞書で定義された用語などの各種用語は、関連技術の文脈における意味と一致する意味を有するものとして解釈されるべきであり、理想的な意味及び／または過度に形式的な意味には、本明細書でそのように明確に定義されない限り解釈されるべきではない。
【００２４】
更に、「下（ｂｅｌｏｗ）」、「下方（ｌｏｗｅｒ）」、「上（ａｂｏｖｅ）」及び「上方（ｕｐｐｅｒ）」などの相対語を本明細書で使用して、一組の例示的な添付図面に示されるように、ある要素の別の要素との関係を説明することができる。このような相対語は、一組の例示的な添付図面に示した方向に加えて、例示された技術の種々の方向を包含することを意図する。例えば、一組の例示的な添付図面における装置を裏返した場合、他の要素の「下方（ｌｏｗｅｒ）」側にあると説明された各種要素は、他の要素の「上方（ｕｐｐｅｒ）」側に方向付けられる。同様に、例示的な図面の１つにおける装置を裏返した場合、他の要素の「下（ｂｅｌｏｗ）」または「真下（ｂｅｎｅａｔｈ）」にあると説明された各種要素は、他の要素の「上（ａｂｏｖｅ）」に方向付けられる。従って、「下（ｂｅｌｏｗ）」または「下方（ｌｏｗｅｒ）」といった例示的な各種用語は、上と下との両方の方向を包含し得る。
【００２５】
本明細書で使用される場合、「約（ａｂｏｕｔ）」及び／または「実質的に（ｓｕｂｓｔａｎｔｉａｌｌｙ）」といった用語は、公称値／用語から＋／−１０％のばらつきを指す。このようなばらつきは、本明細書に提供された任意の所与の値／用語において、このようなばらつきがこれに対して具体的に言及されているか否かを問わず常に含まれる。
【００２６】
何らかの開示が参照によって本明細書に組み込まれ、このような開示が一部及び／または全体において本開示と矛盾する場合、矛盾、存在する場合には、及び／またはより広い開示、及び／またはより広い用語の定義の範囲で、本開示が支配する。このような開示が一部及び／または全体において互いに矛盾する場合、矛盾の範囲で、存在する場合には、後の日付の開示が支配する。
【００２７】
図１は、本開示に従った電球の実施形態の斜視図及び複数のＬＥＤフィラメントを封入する電球ケースの実施形態の拡大図を示す。図２は、本開示に従った電球の実施形態の断面図を示す。図２ａは、本開示に従った電球の基部の実施形態の断面図を示す。図３は、本開示に従った電球の実施形態の斜視図を示す。図３ａは、本開示に従った電球の基部の実施形態の底面図を示す。
【００２８】
電球１００は、台／基部１０２及びケース１０４を含む。電球１００は、ケース１０４を介して封入され、台／基部１０２を介して電力供給される光源をも含む。台／基部１０２は、円筒形状であり、下方基部１０６、側壁１０８及び上方基部１１０を含む。側壁１０８は、基部１０６と基部１１０との間に及ぶ。基部１０６は平面であるが、基部１０６は凹形であり得る。基部１０６は、光源用の電流を受けるなどのために、端子付きの突起などの雄型部分と電気的に嵌合するように構成された、端子付きの窪みなどの雌型部分１１２を含む。部分１１２は円形であるが、四角形、卵形、三角形、星形、五角形、台形、または他の閉じた、もしくは多角形の形状などの他の形状が可能である。いくつかの実施形態において、基部１０６は、光源用の電流を受けるなどのために、雌型部分と電気的に嵌合するように構成された雄型部分を含む。例えば、雄型部分は、複数の柱、ピン、突片（ｐｒｏｎｇ）、または他の電気的コネクタを含み得る。これらのうちのいくつかは、環状ピン、ツイストロックなどとして形成されてもよい。基部１０６、側壁１０８または基部１１０のうちの少なくとも１つは、透明か、半透明か、不透明か、有色かなどを問わず、プラスチック、ガラスなどを含む。しかしながら、追加か代替かを問わず、木、金属、ゴムなどの他の材料が含まれ得る。
【００２９】
ケース１０４は、ケース１０４の直径が長手方向において実質的に均一になるように、基部１０６から管状かつ長尺状に延在する。但し、不均一な直径も可能である。ケース１０４は、締結、接着、嵌合または他の結合技術などにより、片持ち式などで基部１０６に結合されている。いくつかの実施形態において、ケース１０４は側壁１０８に結合されている。側壁１０８とケース１０４とは互いに関して面一であるが、面一ではない構成も可能である。ケース１０４は、不透明、半透明または透明であり得る。ケース１０４は、白、黒、赤、黄、緑、紫、オレンジなどの任意の色であり得る。ケース１０４は、ガラスまたは他の好適な材料を含む。ケース１０４の遠位部分は凸形であるが、凹形、矩形、円錐形などの他の形状が可能であることに注意されたい。いくつかの実施形態において、ケース１０４は、６センチメートル以下などの直径１２４を有する。直径１２４は、長手方向において均一であり得る、または可変であり得ることに注意されたい。また、ケース１０４は円形断面を有するが、卵形、四角形、三角形、五角形、八角形、または任意の他の閉じた、もしくは多角形の形状などの、他の断面形状が可能であることにも注意されたい。いくつかの実施形態において、台／基部１０２及びケース１０４は、一体的であり、同一の材料を含み得る。
【００３０】
光源は、台座１１４、支持柱１１６、ディスク１１８及び複数の光フィラメント１２０を含む。あるいは、光源は、複数のフィラメント１２０の代わりに単一のフィラメント１２０を含んでもよい。フィラメントは、直線状、正弦波状、弓状、螺旋状、球状、格子状、輪状、円筒状、または他の様態で延在してもよい。台座１１４は、基部１１０を介して支持され、そこからケース１０４に沿って長手方向に延在する。柱１１６は、台座１１４を介して支持され、そこからケース１０４に沿って長手方向に延在する。ディスク１１８は、柱１１６を介して支持され、そこから横方向に延在する。それにより、ディスク１１８と柱１１６とがＴ形状を形成するようになっている。台座１１４、支持柱１１６及びディスク１１８は、互いに同一であるか異なるかを問わず、磁器、ガラス、ゴム、木、プラスチック、ガラス繊維、セラミック、水晶、ポリマー、複合材などの電気絶縁材料を含む。
【００３１】
図２ａに示すように、台／基部１０２は、側壁１０８などにおいて、電流ループを生じさせるために導体１０９、絶縁体１１１及び導体１１２を含む。例えば、導体１０９はグラウンドであり得、部分１１２はライブであり得る。例えば、部分１１２は絶縁体１１１によって囲まれており、この絶縁体は導体１０９によって囲まれている。その場合、部分１１２はライブであり、導体１０９はグラウンドである。同様に、図３ａに示すように、台／基部１０２は、基部１０６などにおいて、電流ループを生じさせるために導体１１３、絶縁体１１１及び導体１１２を含む。例えば、導体１１３はグラウンドであり得、部分１１２はライブであり得る。例えば、部分１１２は絶縁体１１１によって囲まれており、この絶縁体は導体１１３によって囲まれている。その場合、部分１１２はライブであり、導体１１３はグラウンドである。
【００３２】
フィラメント１２０のそれぞれは、近位部分及び遠位部分を含む。フィラメント１２０のそれぞれについて、近位部分が第１の導線を介して台座１１４に結合され、遠位部分が第２の導線１２２を介してディスク１１８に結合されることにより、回路が形成される。あるいは、フィラメント１２０のそれぞれは、導線１２２のうちの２本を介して台座１１４に結合されてもよく、１本以上の支持線を介してディスク１１８に結合されてもよい。あるいは、フィラメント１２０のそれぞれは、導線１２２のうちの２本を介してディスク１１８に結合されてもよく、１本以上の支持線を介して台座１１４に結合されてもよい。導線１２２は、フィラメント１２０、またはフィラメント１２０のうちの１つ以上の各ＬＥＤ発光体と並列回路を形成してもよい。あるいは、導線１２２は、フィラメント１２０、またはフィラメント１２０のうちの１つ以上の各ＬＥＤ発光体と直列回路を形成してもよい。フィラメント１２０のそれぞれは、近位部分と遠位部分との間に線状のフィラメント型パッケージで配列された複数のＬＥＤ発光体を含む。従って、フィラメント１２０は、そこから照明光を出力するように長手方向に配置されている。これらのフィラメントは、色、紫外線、赤外線または白色の任意の組み合わせを様々な強度及びトーンで含む、赤、青、緑などの任意の色であってもよい。フィラメント１２０のいくつかの例は、米国特許出願第２０１４０３６９０３６号に開示されており、この出願は、あらゆる目的のために参照によって本明細書に完全に組み込まれる。
【００３３】
図４ａは、本開示に従ったエジソン基部の実施形態の斜視図を示す。図４ｂは、本開示に従ったエジソン基部の実施形態の上面図を示す。図５は、本開示に従ったエジソン基部の実施形態の概略図を示す。エジソン基部２００は、エジソンねじ２０２及び壁２０４を含む。ねじ２０２は、右回しか左回しかを問わず、バルブソケットから光源用の電流を受けるため、エジソンソケットなどのバルブソケットに取り付けるためにねじ切られている。ねじ２０２は、導線２１０、電気回路基板２１２及び先端部２１４を含む。基板２１２は、先端部２１４及び線２１０に電気的に結合されている。先端部２１４は、ねじ２０２がバルブソケットに取り付けられるときにバルブソケットから電流を受けるように構成されている。基板２１２は、先端部２１４から線２１０までの電流の流れを容易化するように設計されている。
【００３４】
壁２０４は、ねじ２０２から延在する。壁２０４は、締結、接着、嵌合または他の結合技術などにより、ねじ２０２に結合されている。壁２０４は、堅固であるが、穿孔され得る。壁２０４は、互いに同一であるか異なるかを問わず、磁器、ガラス、ゴム、木、プラスチック、ガラス繊維、セラミック、水晶、ポリマー、複合材などの電気絶縁材料を含む。壁２０４は上部を含む。この上部は、壁２０４の中に孔２０６を画定する。孔１１２は、円形断面を有する円筒形であるが、四角形、卵形、三角形、星形、五角形、台形、または他の閉じた、もしくは多角形の形状などの他の断面形状が可能である。孔２０６は、端子付きの突起などの雄型部分２０８を含む基部を含む。部分２０８は、線２１０から電流を受けるなどのために、線２１０に電気的に結合されている。部分２０８は、光源用の電流を伝導するなどのために、部分１１２と電気的に嵌合するように構成されている。孔２０６または孔２０６の一部は導体を含むことに注意されたい。この導体はグラウンドであり得、その場合、部分２０８はライブである。部分２０８は円形であるが、四角形、卵形、三角形、星形、五角形、台形、または他の閉じた、もしくは多角形の形状などの他の形状が可能である。いくつかの実施形態において、孔２０６の基部は、光源用の電流を伝導するなどのために、雄型部分と電気的に嵌合するように構成された、端子付きの窪みなどの雌型部分を含む。
【００３５】
図１〜５に示すように、本明細書に開示された任意の実施形態に関して、電球１００と基部２００とは別個であり、別々の装置である。しかしながら、他の実施形態では、本明細書に開示された任意の実施形態に関して、電球１００と基部２００とが単一の装置である。
【００３６】
更に、基部２００はエジソンねじ式基部であるが、標準品か専用品かカスタマイズ品かを問わず、他の種類の基部２００を使用できることに注意されたい。例えば、基部２００は、２ピンまたは４ピンなどのピン式、バヨネットマウント、楔形基部などであり得る。例えば、基部２００は、Ｅ５、Ｅ１０、Ｅ１１、Ｅ１２、Ｅ１４、Ｅ１７、Ｅ２６、Ｅ２７、Ｅ２９、Ｅ３９、Ｅ４０などの様々な種類であり得る。同様に、電球１００は、任意の組み合わせ方法で基部２００のいずれかと同様に構成することができる。従って、電球１００と基部２００との多くのモジュール的な組み合わせが存在する。
【００３７】
図６は、本開示に従ったエジソン基部の複数のバルブ収容部の複数の実施形態の斜視図を示す。エジソン基部６００ａは壁２０４ａを含む。この壁は、一組の曲線コーナーを有する矩形形状を有する。エジソン基部６００ｂは壁２０４ｂを含む。この壁は、一組の鋭角コーナーを有する矩形形状を有する。エジソン基部６００ｃは壁２０４ｃを含む。この壁はプラス記号形状またはＸ形状を有し、この形状は一組の鋭角コーナーを有するが、１つ以上の曲線コーナーが可能である。
【００３８】
図７は、本開示に従ったパッケージ構成の実施形態の斜視図を示す。パッケージ構成７００は、ボール紙、プラスチックまたは紙ボックスなどのコンテナ７０２の積み重ねを含む。ここで、コンテナ７０２のそれぞれはエジソン基部２００を含む。構成７００は、ボール紙、プラスチックまたは紙ボックスなどのコンテナ７０４の並列的位置付けをも含む。ここで、コンテナ７０４のそれぞれは電球１００を含む。積み重ねられた２つのコンテナ７０２は単一のコンテナ７０４に等しい高さを有し、例えば、２つのコンテナ７０２のそれぞれは単一のコンテナの高さの半分であるが、他の実施形態において、積み重ねられた２つのコンテナ７０２は、単一のコンテナ７０４に等しくない高さを有する。例えば、単一のコンテナ７０２は、単一のコンテナ７０４に等しい、またはそれを超える高さを有してもよい。例えば、単一のコンテナ７０４は、単一のコンテナ７０２未満の高さを有してもよい。パレット７０６は、ボール紙、プラスチックまたは紙ボックスなどの複数のコンテナ７０８を支持する。ここで、コンテナ７０８のそれぞれはコンテナ７０２を格納する。パレット７０６は、ボール紙、プラスチックまたは紙ボックスなどの複数の７１０をも支持する。ここで、コンテナ７１０のそれぞれはコンテナ７０４を格納する。
【００３９】
図８は、本開示に従った複数のバルブケースの複数の実施形態の斜視図を示す。電球１００ａはケース１０４を含む。このケースは、長尺状、直線状、直径方向に均一、かつ管状であり、遠位端が凸形である。例えば、ケース１０４は、１２０ミリメートルの長手方向の長さを有し得る。電球１００ｂはケース１０４を含む。このケースは、長尺状、直線状、直径方向に均一、かつ管状であり、遠位端がテーパー形、円錐形または角錐形である。電球１００ｃはケース１０４を含む。このケースは、長尺状、直線状、直径方向に均一、かつ管状であり、遠位端が凸形である。但し、ケース１０４は、電球１００ａのケース１０４よりも長手方向に短く、例えば、７５ミリメートルである。電球１００ｄはケース１０４を含む。このケースは、長尺状、正弦波状、直径方向に均一、かつ管状であり、遠位端が凸形である。電球１００ｅはケース１０４を含む。このケースは、長尺状、弓状、直径方向に均一、かつ管状であり、遠位端が凸形である。電球１００ｆはケース１０４を含む。このケースは、長尺状、直径方向に可変、かつ管状であり、遠位端が凸形である。任意の電球１００ａ、１００ｂ、１００ｃ、１００ｄ、１００ｅまたは１００ｆを任意の順列方法で混在させ、整合させることができることに注意されたい。いくつかの実施形態において、ケース１０４は螺旋状または球状である。
【００４０】
図９は、本開示に従った太陽電池式アセンブリの実施形態の斜視図を示す。図９ａは、本開示に従った太陽電池式アセンブリの孔の実施形態の断面図を示す。図９ｂは、本開示に従った太陽電池式アセンブリの孔の実施形態の断面図を示す。図１０は、本開示に従った太陽電池式アセンブリの実施形態の概略図を示す。図１１は、本開示に従った太陽電池式アセンブリの実施形態の上面図を示す。図１２は、本開示に従った光電変換基部の実施形態の斜視図を示す。図１３は、本開示に従った複数の光電変換基部の複数の実施形態の斜視図を示す。太陽電池式アセンブリ９００は基部９０２を含む。この基部は、ディスク９０４及び漏斗形状のバルブ収容具９０６を含む。収容具９０６は、締結、接着、嵌合または他の結合技術などにより、ディスク９０４に結合されている。
【００４１】
ディスク９０４は堅固であるが、穿孔され得る。ディスク９０４は、円筒形かつ円形であるが、四角形、卵形、三角形、星形、五角形、台形または他の閉じた、もしくは多角形の形状などの、異なる形状であり得る。例えば、図１３に示すように、基部９０２ａにおいて、ディスク９０４は円形である。同様に、基部９０２ｂにおいて、ディスク９０４は四角形である。同様に、基部９０２ｃにおいて、ディスク９０４はジグソータイル形状（または嵌め込み状もしくはモザイク状となるように特殊に形成もしくは構成され得る任意の種類のタイル）である。光電変換アレイは複数の基部９０２ｃを介して組み立て可能であることに注意されたい。
【００４２】
ディスク９０４は、下方基部９０８、側壁９１０及び上方基部９１２を含む。側壁９１０は、基部９０８と基部９１２との間に及ぶ。基部９１２は、光電変換セルのアレイを含む。これらのセルは、屋内か屋外かを問わず、光を吸収し、直流電圧（ＤＣ）などを伴って、光を電流に変換するように構成される。例えば、基部９０２は、ＤＣ電流を交流（ＡＣ）に変換するためのインバータを含んでもよい。セルは、結晶シリコン型、薄膜型、テルル化カドミウム型、銅インジウムガリウムセレン化物型、シリコン薄膜型、ガリウム砒素薄膜型、多接合セル型、ペロブスカイト太陽電池型などの任意の種類であってもよい。基部９１２は、キャンプ場または劣悪な環境の中で使用するなどのために、耐候性または防塵コーティングで被覆されてもよい。例えば、耐候性コーティングは、雨などの水をはじいてもよく、または防いでもよい。
【００４３】
いくつかの実施形態において、ディスク９０４は、地上高さのためなどに、ディスク９０４を地面から上げるための支持台座または複数の脚を含んでもよい。いくつかの実施形態において、ディスク９０４は、伸縮性か非伸縮性かを問わず、当該ディスクから伸びるロープ／ケーブル／線を介して吊されてもよく、または、当該ディスクから伸びるフックもしくはタブなどにより、絵画として、壁面などの表面に掛けられてもよい。
【００４４】
収容具９０６は、基部９１４、軸９１６、導線９２２及び電気回路基板９２４を含む。基部９１４は、ディスク９０４を介して支持され、そこから延在する。基部９１４は円形であるが、四角形、卵形、三角形、星形、五角形、台形、または他の閉じた、もしくは多角形の形状などの他の形状が可能である。基部９１４と軸９１６とは一体的であるが、互いに組み立てることができる。基板９２４は、ディスク９０４及び線９２２に電気的に結合されている。基板９２４は、光電変換セルから線９２２までの電流の流れを容易化するように設計されている。例えば、基板９２４は、光電変換セルからのＤＣ電流をＡＣ電流に変換するためのインバータを含んでもよい。例えば、基板９２４は、ＤＣ電流を貯えるための電池またはコンデンサを含んでもよい。収容具９０６は、互いに同一であるか異なるかを問わず、磁器、ガラス、ゴム、木、プラスチック、ガラス繊維、セラミック、水晶、ポリマー、複合材などの電気絶縁材料を含む。いくつかの実施形態において、ディスク９０４は、３時の位置及び９時の位置などで、少なくとも２つの収容具９０６を支持する。
【００４５】
軸９１６は、長尺状、直線状、直径方向に均一、かつディスク９０４に対して垂直である。しかしながら、軸９１６は、弓状、正弦波状などの非直線状であり得ることに注意されたい。同様に、軸９１６は直径方向に可変であり得ることに注意されたい。同様に、軸９１６は、鋭角または鈍角など、ディスク９０４に対して非垂直であり得ることに注意されたい。いくつかの実施形態では、少なくとも２つの軸９１６が、互いに対向しているか隣接しているかを問わず、基部９１４から延在する。
【００４６】
軸９１６は硬質であるが、可撓性または伸縮性であり得る。例えば、軸９１６は、基部９１４またはディスク９０４内に収められたバネまたは伸縮性部材で付勢され得る。同様に、軸９１６は、メモリフォーム、またはメモリプラスチック／ポリマーを含み得る。従って、軸９１６は、電球１００を特定の方向に方向付けるように回り得る、または曲がり得る。
【００４７】
軸９１６は上部を含む。この上部は、軸９１６の中に孔９１８を画定する。孔１１２は、円形断面を有する円筒形であるが、四角形、卵形、三角形、星形、五角形、台形、または他の閉じた、もしくは多角形の形状などの他の断面形状が可能である。孔９１８は、雄型部分９２０を含む基部を含む。線９２２は、部分９２０及び基板９２４に電気的に結合されている。例えば、部分９２２は、光電変換セルから供給され得る線９２２からの電流を受けるために、線９２２に電気的に結合されている。部分９２０は、光源用の電流を伝導するなどのために、電球１００の部分１１２と電気的に嵌合するように構成されている。部分９２０は円形であるが、四角形、卵形、三角形、星形、五角形、台形、または他の閉じた、もしくは多角形の形状などの他の形状が可能である。いくつかの実施形態において、孔９１８の基部は、光源用の電流を伝導するなどのために、雄型部分と電気的に嵌合するように構成された雌型部分を含む。図９ａに示すように、孔９１８は、電流ループを生じさせるために、絶縁体９１７を介して部分９２０から離間されていながら部分９２０を囲む導体９２１を含む。例えば、導体９２１はグラウンドであり得、部分９２０はライブであり得る。同様に、図９ｂに示すように、孔９１８は、電流ループを生じさせるために、絶縁体９１９を介して部分９２０から離間されていながら部分９２０を囲む導体９２３を含む。例えば、導体９２３はグラウンドであり得、部分９２０はライブであり得る。
【００４８】
図１４は、本開示に従った電球を収容するように構成された照明器具の実施形態の斜視図を示す。照明器具１４００は、天井ファン１４０２及びバー１４０４を含む。
【００４９】
ファン１４０２は、締結、接着、嵌合または他の結合技術などにより、バー１４０４に結合されている。ファン１４０２は、電流によって駆動される電動モーターを含む。ファン１４０２は複数のブレード／翼１４０８を含み、これらは、バー１４０４の長手方向軸と同軸であり得る縦軸の回りを回転する。本明細書に開示されるように、ファン１４０２は、ねじ２０２のバルブソケット、すなわち、壁２０４を含む。壁２０４は、ファン１４０２に組み込まれている／作り付けられている。
【００５０】
バー１４０４は、結合、接着、嵌合または他の結合技術などにより、天井に固定されるように構成されている。例えば、バー１４０４は、天井とファン１４０２との間に及ぶ。バー１４０４は、これを通って引かれている導線を含む。ここで、線は、天井とファン１４０２との間に延在し、例えば、天井からファン１４０２の内部に延在する。導線は、ＡＣ電流などの電流を、ブレード／翼１４０８を回転させるなどのためにモーターに伝導するために、更には、線２１０を介してＡＣ電流を部分２０８に伝導するなどのために壁２０４に伝導するために使用される。バー１４０４は、ファン１４０２がブレード／翼１４０８を回転させるときにファン１４０２の不安定な動きを最小限にするために硬質であることに注意されたい。従って、孔２０６が部分２０８を含み、部分２０８が、光源用の電流を伝導するなどのために部分１１２と電気的に嵌合するように構成されているため、電球１００は、部分１１２が部分２０８と接触し、これと嵌合するように、または逆の場合も同様であるように電球１００を孔２０６に手で挿入するなどにより、電気的かつ機械的に、孔２０６に結合することができる。いくつかの実施形態では、ファン１４０２が欠如しており、バー１４０４がねじ２０２のバルブソケットを含む。すなわち、孔２０６は、本明細書に開示されるように、バー１４０４に組み込まれ／作り付けられ、バー１４０４を通って引かれている導線を介して電力供給される。このような実施形態のいくつかにおいて、バー１４０４は、硬質または可撓性／伸縮性であり得る。このような実施形態のいくつかにおいて、バー１４０４は鎖と置き換えられる。
【００５１】
図１５は、エジソン基部を収容するように構成された照明器具の実施形態の斜視図を示す。この図において、エジソン基部は、本開示に従った電球を収容するように構成されている。照明器具１５００は、天井ファン１５０２及びバー１５０４を含む。
【００５２】
ファン１５０２は、締結、接着、嵌合または他の結合技術などにより、バー１５０４に結合されている。ファン１５０２は、電流によって駆動される電動モーターを含む。ファン１５０２は複数のブレード／翼１５０８を含み、これらは、バー１５０４の長手方向軸と同軸であり得る縦軸の回りを回転する。
【００５３】
ファン１５０２は、エジソンねじ型バルブソケットなどの、標準バルブソケットを含む。このソケットは、本明細書に開示されるように、基部２００を収容するように構成されている。例えば、ねじ２０２をエジソンねじ型バルブソケットにねじ込むことができ、それにより先端部２１４がエジソンねじ型バルブソケットの基部に接触し、そこから電流を受けることが可能となる。
【００５４】
バー１４０４は、結合、接着、嵌合または他の結合技術などにより、天井に固定されるように構成されている。例えば、バー１４０４は、天井とファン１４０２との間に及ぶ。バー１４０４は、これを通って引かれている導線を含む。ここで、線は、天井とファン１４０２との間に延在し、例えば、天井からファン１４０２の内部に延在する。導線は、ＡＣ電流などの電流を、ブレード／翼１０８を回転させるなどのためにモーターに伝導するために、更には、ＡＣ電流をエジソンねじ型バルブソケットの基部に伝導するなどのために標準バルブソケットに伝導するために使用される。バー１４０４は、ファン１４０２がブレード／翼１４０８を回転させるときにファン１４０２の不安定な動きを最小限にするために硬質であることに注意されたい。従って、基部２００は、先端部２１４が標準バルブソケットの基部から電流を受けるように、かつその電流が線２１０を介して部分２０８に伝導されるように、標準バルブソケットに締結される。その後、電球１００が孔２０６に結合されることにより、光源用の電流を伝導するなどのために、部分２０８が部分１１２と電気的に嵌合する。例えば、電球１００は、部分１１２が部分２０８と接触し、これと嵌合するように、または逆の場合も同様であるように電球１００を孔２０６に手で挿入するなどにより、電気的かつ機械的に、孔２０６に結合することができる。いくつかの実施形態では、電球１００が基部２００に結合され、次いで、基部２００が標準バルブソケットに結合される。
【００５５】
いくつかの実施形態では、ファン１５０２が欠如しており、バー１５０４が標準バルブソケットを含む。例えば、そのとき、標準バルブソケットは、バー１５０４に組み込まれ／作り付けられ、バー１５０４を通って引かれている導線を介して電力供給される。このような実施形態のいくつかにおいて、バー１５０４は、硬質または可撓性／伸縮性であり得る。このような実施形態のいくつかにおいて、バー１５０４は鎖と置き換えられる。
【００５６】
図１６は、本開示に従ったセンサまたは送信機を含むエジソン基部の実施形態の概略図を示す。図１７は、本開示に従ったセンサまたは送信機を含むエジソン基部の実施形態の斜視図を示す。本明細書に開示されるように、エジソン基部１６００は、エジソンねじ１６０２及び壁１６０４を含む。ねじ１６０２は、右回しか左回しかを問わず、バルブソケットから光源用の電流を受けるため、エジソンソケットなどのバルブソケットに取り付けるためにねじ切られている。ねじ１６０２は、導線１６１０、電気回路基板１６１２及び先端部１６１４を含む。基板１６１２は、先端部１６１４及び線１６１０に電気的に結合されている。先端部１６１４は、ねじ１６０２がバルブソケットに取り付けられるときに、標準バルブソケットなどのバルブソケットから電流を受けるように構成されている。基板１６１２は、先端部１６１４から線１６１０までの電流の流れを容易化するように設計されている。
【００５７】
基板１６１２は、モジュール１６１６をもホストする。モジュール１６１６は、処理ユニット、メモリユニット、感知ユニット、通信ユニット、光制御ユニット、または、単一のユニットとしてか複数のユニットとしてかを問わず、スピーカなどの変換器などの音声生成ユニットなどの他のユニットを含み得る。
【００５８】
いくつかの実施形態において、基板１６１２は、単一のモジュールとしてか複数のモジュールとしてかを問わず、処理モジュール１６１６Ｐ、メモリモジュール１６１６Ｍ、感知モジュール１６１６Ｓ、通信モジュール１６１６Ｃ及び光制御モジュール１６１６Ｌを含んでもよい。処理モジュール１６１６Ｐは、システムバスなどを介して、メモリモジュール１６１６Ｍ、感知モジュール１６１６Ｓ、通信モジュール１６１６Ｃ及び光制御モジュール１６１６Ｌに通信可能に接続されている。この処理モジュールは、充電可能であり得る電池などの搭載型かどうか、または交流電線などから先端部２１４を経由するかどうかを問わず、電源を介して電力供給され得る。
【００５９】
処理モジュール１６１６Ｐは、シングルコアかまたはマルチコアかを問わず、マイクロプロセッサなどのプロセッサを含むことができる。処理モジュール１６１６Ｐは、充電可能であり得る電池などの搭載型かどうか、または交流電線などから先端部２１４を経由するかどうかを問わず、電源を介して電力供給され得る。
【００６０】
メモリモジュール１６１６Ｍは、揮発性か不揮発性かを問わず、フラッシュメモリなどのメモリチップを含むことができる。メモリモジュール１６１６Ｍは、充電可能であり得る電池などの搭載型かどうか、または交流電線などから先端部２１４を経由するかどうかを問わず、電源を介して電力供給され得る。メモリモジュール１６１６Ｍは、処理モジュール１６１６Ｐを介して実行可能な一組の命令を記憶する。一組の命令は、マシンコード、オブジェクトコード、ソースコードまたは他のコードを含み得る。一組の命令は、Ｃ＋＋、Ｊａｖａ（登録商標）、Ｐｙｔｈｏｎなどのプログラミング言語から書き込む、または供給することができる。
【００６１】
感知モジュール１６１６Ｓは、機械式か電子式かを問わず、アクティブまたはパッシブであり得るセンサを含み得る。感知モジュール１６１６Ｓは、充電可能であり得る電池などの搭載型かどうか、または交流電線などから先端部２１４を経由するかどうかを問わず、電源を介して電力供給され得る。センサは、物理的環境からの入力を検出する、またはそれに応答するように構成することができる。例えば、入力は、光、熱、運動、水分、湿度、音、電気、圧力、煙、ガスまたは任意の他の環境的態様／パラメータのうちの少なくとも１つであり得る。センサは、機械的（音または振動）か電気的信号（パルスまたはバースト）かを問わず、信号などの出力を提供することができる。センサは、電池などの搭載型かどうか、または交流電線などから先端部２１４を経由するかどうかを問わず、電源を介して電力供給され得る。例えば、センサは、温度計、気圧計、水分／湿度センサ、粒子センサ、光センサ、水センサ、運動センサ、近接センサ、音センサ、煙検出器、一酸化炭素検出器、ガス漏れ検出器、有害／毒性液体／ガスセンサなどを含み得る。
【００６２】
通信モジュール１６１６Ｃは、無線または有線信号通信のために構成された受信機、送信機または送受信機を含み得る。通信モジュール１６１６Ｃは、充電可能であり得る電池などの搭載型かどうか、または交流電線などから先端部２１４を経由するかどうかを問わず、電源を介して電力供給され得る。信号通信は、直接的か間接的かを問わず、屋内か屋外かを問わず、短距離または長距離にわたり得る。例えば、信号通信は、赤外線信号、無線周波数信号、光信号、音声信号などを含み得る。例えば、無線周波数信号は、Ｗｉ−Ｆｉ信号、Ｂｌｕｅｔｏｏｔｈ（登録商標）信号、ＲＦＩＤ信号、セルラ信号またはＧＰＳ信号を含むことができる。例えば、光信号は、レーザまたは光波を含む。
【００６３】
光制御モジュール１６１６Ｌは、光制御操作を行うようにプログラムされた回路を含み得る。このような操作は、光のターンオン／オフ、光強度の増加／減少、光の色変化、光のトーン変化、光のフラッシュオン／オフ、または任意の他の特性を含み得る。
【００６４】
いくつかの実施形態において、基部１６００は、ＩＯＴ（モノのインターネット）装置として使用することができる。その場合、基部１６００は、使用、制御、保守または更新などのために、局所的または遠隔的に通信可能にアクセスされ得る。このような通信可能なアクセスは、ラップトップ、デスクトップ、ウェアラブル（腕輪／衣類／宝石）、タブレット、車両、センサ、電化製品（台所／浴室／産業用）、スマートフォン、ルータなどの装置と通信する通信モジュール１６１６Ｃを介し得る。このような通信は、Ｂｌｕｅｔｏｏｔｈ（登録商標）信号または赤外線信号などを介して、無線で直接的に行うことができる。このような通信は、ネットワークルータを経由したＷｉ−Ｆｉ信号またはセルラ基地局を介したセルラ信号などを介して、無線で間接的に行うことができる。このような通信は、アルミニウムまたは銅の電力線などの電力線上の電力線信号などを介して、先端部１６１４を経由して有線で行うことができる。例えば、通信モジュール１６１６Ｃが、ラップトップ、デスクトップ、ウェアラブル（腕輪／衣類／宝石）、タブレット、車両、センサ、電化製品（台所／浴室／産業用）、スマートフォン、ルータなどの装置から信号を受信したことに応答して、通信モジュール１６１６Ｃは、その信号を処理モジュール１６１６Ｐに送信する。応答の際、処理モジュール１６１６Ｐは、メモリモジュール１６１６Ｍから一組の命令を読み込み、光制御モジュール１６１６Ｌなどを介して、その信号に基づいた操作を行うこと、または行わないことを要求する。従って、例えば、ユーザは、光制御操作を行うなどのために、本明細書に開示されるように、スマートフォンを操作することにより、Ｗｉ−Ｆｉまたはセルラ信号を通じて通信モジュール１６１６Ｃを介して基部１６００にアクセスすることができ、処理モジュール１６１６Ｐ及び光制御モジュール１６１６Ｌを介して、基部１６００に結合された電球１００を制御することができる。
【００６５】
いくつかの実施形態において、感知モジュール１６１６Ｐが物理的環境からの入力を感知したことに応答して、感知モジュール１６１６Ｐは、出力を処理モジュール１６１６Ｐに提供する。応答の際、処理モジュール１６１６Ｐは、メモリモジュール１６１６Ｍから一組の命令を読み込み、通信モジュール１６１６Ｃが、装置に、有線方式か無線方式かを問わず、直接的か間接的かを問わず、ラップトップ、デスクトップ、ウェアラブル（腕輪／衣類／宝石）、タブレット、車両、センサ、電化製品（台所／浴室／産業用）、スマートフォン、ルータなどの装置に当該出力を送信することを要求する。例えば、基部１６００は、煙または一酸化炭素センサを含み得る感知モジュール１６１６Ｓを含むことができ、基部１６００は、煙または一酸化炭素検出器として使用することができ、煙または一酸化炭素が検出されたかどうかをデバイスに通知することができる。
【００６６】
壁１６０４は、ねじ１６０２から延在する。壁１６０４は、締結、接着、嵌合または他の結合技術などにより、ねじ１６０２に結合されている。壁１６０４は、堅固であるが、穿孔され得る。壁１６０４は、互いに同一であるか異なるかを問わず、磁器、ガラス、ゴム、木、プラスチック、ガラス繊維、セラミック、水晶、ポリマー、複合材などの電気絶縁材料を含む。壁１６０４は上部を含む。この上部は、壁１６０４の中に孔１６０６を画定する。孔１６０６は、円形断面を有する円筒形であるが、四角形、卵形、三角形、星形、五角形、台形、または他の閉じた、もしくは多角形の形状などの他の断面形状が可能である。孔１６０６は、雄型部分１６０８を含む基部を含む。部分１６０８は、線１６１０から電流を受けるなどのために、線１６１０に電気的に結合されている。部分１６０８は、光源用の電流を伝導するなどのために、部分１１２と電気的に嵌合するように構成されている。部分１６０８は円形であるが、四角形、卵形、三角形、星形、五角形、台形、または他の閉じた、もしくは多角形の形状などの他の形状が可能である。いくつかの実施形態において、孔１６０６の基部は、光源用の電流を伝導するなどのために、雄型部分と電気的に嵌合するように構成された雌型部分を含む。
【００６７】
図１８は、本開示に従った複数の電球を収容するように構成されたエジソン基部の実施形態の斜視図を示す。本明細書に開示されるように、エジソン基部１８００はねじ１８０２及び壁１８０４を含む。壁１８０４は、ねじ１８０２から延在する。壁１８０４は、締結、接着、嵌合または他の結合技術などにより、ねじ１８０２に結合されている。壁１８０４は、堅固であるが、穿孔され得る。壁１８０４は、互いに同一であるか異なるかを問わず、磁器、ガラス、ゴム、木、プラスチック、ガラス繊維、セラミック、水晶、ポリマー、複合材などの電気絶縁材料を含む。
【００６８】
壁１８０４は上部を含む。この上部は、壁１８０４に複数の孔１８０６ａ、１８０６ｂ、１８０６ｃを画定する。３つの孔１８０６が示されているが、壁１８０４は少なくとも２つの孔１８０６を含み、５つまたは２０個など、３つよりも多い孔１８０６が使用され得ることに注意されたい。
【００６９】
孔１８０６ａ、１８０６ｂ、１８０６ｃのそれぞれは、円形断面を有する円筒形であるが、四角形、卵形、三角形、星形、五角形、台形、または他の閉じた、もしくは多角形の形状などの他の断面形状が可能である。孔１８０６ａ、１８０６ｂ、１８０６ｃのうちの少なくとも２つは、高さ、直径、体積、電圧、アンペア数、ワット数など、任意の方法で、同じように形成され、サイズ設定され、電力供給され、制御され、もしくは構成されてもよく、または異なるように形成され、サイズ設定され、電力供給され、制御され、もしくは構成されてもよい。孔１８０６ａ、１８０６ｂ、１８０６ｃのうちの少なくとも２つは連携的に制御可能であり、または孔１８０６ａ、１８０６ｂ、１８０６ｃのうちの少なくとも２つは個別的に制御可能である。例えば、第１の光操作は、孔１８０６ａ、１８０６ｂ、１８０６ｃのうちの少なくとも１つを制御してもよく、第２の光操作は、孔１８０６ａ、１８０６ｂ、１８０６ｃのうちの少なくとも１つを制御してもよく、第１の光操作と第２の光操作とは、単一の光操作か異なる光操作かを問わない。なお、このような操作は、光のターンオン／オフ、光強度の増加／減少、光の色変化、光のトーン変化、光のフラッシュオン／オフ、または任意の他の光特性を含み得ることに注意されたい。
【００７０】
孔１８０６ａ、１８０６ｂ、１８０６ｃのそれぞれは、雄型部分１８０８を含む基部を含む。部分１８０８は、線１８１０から電流を受けるなどのために、線１８１０に電気的に結合されている。部分１８０８は、光源用の電流を伝導するなどのために、部分１１２と電気的に嵌合するように構成されている。部分１８０８は円形であるが、四角形、卵形、三角形、星形、五角形、台形、または他の閉じた、もしくは多角形の形状などの他の形状が可能である。いくつかの実施形態において、孔１８０６ａ、１８０６ｂ、１８０６ｃのうちの少なくとも１つの基部は、光源用の電流を伝導するなどのために、雄型部分と電気的に嵌合するように構成された雌型部分を含む。いくつかの実施形態において、壁１８０４は、単一の孔１８０６を含み、それでいて電球１００は、例えば、台／基部１０２のうちの少なくとも一方、ケース１０４、またはフィラメント１２０のうちの少なくとも１つが分岐するとき、ツリー形状である。例えば、単一の台／基部１０２が軸として機能し、そこから複数のケース１０４／フィラメント１２０が分岐してもよい。
【００７１】
図１９は、本開示に従った複数の電球結合機構の複数の実施形態の斜視図を示す。電球１００ａは、第１の側壁部分１０８ａ及び第２の側壁部分１０８ｂを含む側壁１０８を含む。これらの側壁は、異なる直径を有し、かつ等しい高さを有するが、変形が可能である。壁２０４は、部分２０８の上にタブ２０９を含む孔２０６を含む。タブ２０９は、壁２０６に外向きに突出し、それにより、第１の側壁部分１０８ａまたは第２の側壁部分のうちの少なくとも１つと係合／嵌合／噛合することが可能である。従って、電球１００ａは、部分１１２が部分２０８と嵌合できるように、押し／引き方式で基部２００に着脱自在に結合することが可能である。
【００７２】
電球１００ｂは基部１０６を含む。孔２０６の基部は領域２１１を含む。この領域は、開いた形状でも閉じた形状でもよく、部分２０８を囲んでいるが、逆の場合もまた同様である。領域２１１が磁石などを含むことにより、更には、基部１０６が磁気的に引き付けられる金属などを含むことにより、両者が磁気的に接続できるように構成されているが、逆の場合もまた同様である。従って、電球１００ｂは、部分１１２が部分２０８と嵌合できるように、磁気方式で基部２００に着脱自在に結合することが可能である。
【００７３】
電球１００ｃは、右回しか左回しかを問わず、複数の第１のねじ山１１１を含む側壁１０８を含む。孔２０６は、右回しか左回しかを問わず、複数の第２のねじ山２１３を含む。第１のねじ山は、第２のねじ山２１３と嵌合／係合／噛合／締結する。従って、電球１００ｃは、部分１１２が部分２０８と嵌合できるように、締結方式で基部２００に着脱自在に結合することが可能である。
【００７４】
図２０は、本開示に従った電池を有するエジソン基部の実施形態の概略図を示す。基板２１２に追加するか代替するかを問わず、基部２００は、カドミウムまたはリチウムイオン電池などの、充電可能であり得る電池を含み得る。例えば、電池は、円筒形またはボタン形であり得る。例えば、電池は、再充電する、または電流を流すなどのために、対向する電極などの、先端部２１４及び線２１０に電気的に結合することができる。その理由は、ねじ２０２がバルブソケットに取り付けられるときに先端部２１４がバルブソケットから電流を受けるように構成されているためである。電池に追加するか代替するかを問わず、基部２００は、コンデンサを含み得る。
【００７５】
図２１は、本開示に従った光特性制御素子を有するエジソン基部の実施形態の斜視図を示す。基部２００はねじ２０２及び壁２０４を含む。壁２０４は、スケール２１７及びスケール２１７に結合されたタブ２１９を含む段階的レベル選択器２１５を含み、特性／特徴／態様の程度を手動で変更または修正できるようになっている。選択器２１５のいくつかの例は、米国特許及び米国特許出願第５００８８６５、７５３５４４３、８０９６６７４、９３２６３６２、２００３００５７８７９及び２００８０１４３２７２号に開示されており、これらのそれぞれは、あらゆる目的のために参照によって本明細書に完全に組み込まれる。例えば、程度は、光、音、振動などの出力に関するものであってもよい。例えば、光の程度は、輝度、色、強度、フラッシング、オン／オフなどであってもよい。例えば、電球１００が基部２００に結合されたとき、次いで、電球１００からの光の程度を、スケール２１７の一対の終点の間でスケール２１７に沿ってタブ２１９を摺動させることによって制御してもよい。本明細書に開示されるように、選択器２１５は摺動子であるが、壁２０４の単一の側面にあるか壁２０４の複数の側面にあるかを問わず、他の種類の段階的レベル選択器２１５を使用でき、このようなレベル選択器としては、壁２０４に結合され、段階的にレベルを選択するために水平軸回りに回転するノブもしくはダイヤル、またはレベルを段階的に選択するために押圧可能である壁２０４に結合された１つ以上のボタンなどがあることに注意されたい。
【００７６】
図２２は、本開示に従った電池に電気的に結合された光電変換基部の実施形態の斜視図を示す。図２３は、本開示に従った電池に電気的に結合された光電変換基部の実施形態の概略図を示す。本明細書に開示されるように、アセンブリ９００は、ディスク９０４及び収容具９０６を含む基部９０２を含む。ここで、収容具９０６は、締結、接着、嵌合または他の結合技術などにより、ディスク９０４に結合されている。
【００７７】
追加か代替かを問わず、基板９２４は、導線などを介して電池に結合されている。電池は、充電可能であり得るカドミウムまたはリチウムイオン電池などの、任意の種類であり得る。例えば、電池は、円筒形またはボタン形であり得る。例えば、電池を使用して、基部９１２の光電変換セルから得られたＤＣ電流を貯えることができる。
【００７８】
図２４は、本開示に従った自己学習電池管理システムの実施形態の概略図を示す。モジュール１６００に追加するか代替するかを問わず、基部２００は、プロセッサ２４０２及びメモリ２４０２を含む。これらは、システムバスとして機能し得る基板１６１２上でホストされ得る。プロセッサ２４０２は、システムバスなどを介してメモリ２４０２に結合されており、充電可能であり得る電池などの搭載型かどうか、または交流電線などから先端部２１４を経由するかどうかを問わず、電源を介して電力供給され得る。
【００７９】
プロセッサ２４０２は、シングルコアかマルチコアかを問わず、マイクロプロセッサなどのプロセッサを含み得る。プロセッサ２４０２は、充電可能であり得る電池などの搭載型かどうか、または交流電線などから先端部２１４を経由するかどうかを問わず、電源を介して電力供給され得る。
【００８０】
メモリ２４０４は、揮発性か不揮発性かを問わず、フラッシュメモリなどのメモリチップを含み得る。メモリ２４０４は、充電可能であり得る電池などの搭載型かどうか、または交流電線などから先端部２１４を経由するかどうかを問わず、電源を介して電力供給され得る。メモリ２４０４は、プロセッサ２４０２を介して実行可能な一組の命令を記憶する。一組の命令は、マシンコード、オブジェクトコード、ソースコードなどを含み得る。一組の命令は、Ｃ＋＋、Ｊａｖａ（登録商標）、Ｐｙｔｈｏｎなどのプログラミング言語から書き込む、または供給することができる。
【００８１】
図２５は、本開示に従った自己学習電池管理のためのプロセスの実施形態のフローチャートを示す。このプロセスは、プロセッサ２４０４を介して実行するための一組の命令を介してコード化され得る。このプロセスは、複数のブロック２５０２〜２５１０を含む。
【００８２】
ブロック２５０２において、プロセッサ２４０４は、基部２００の挙動を、電流、または電圧、アンペア数などの当該基部の特徴／態様／特性を、それらが電球１００に提供されているとき、または先端部２１４を経由してそれらを受けているとき、連続的または周期的に追跡するなどによって監視する。追加的または代替的に、挙動は、光出力を含んでもよい。すなわち、プロセッサは、基部２００を介した電球１００からの出力として、光出力、すなわち当該基部の特徴／態様／特性を監視してもよい。例えば、挙動は、メモリ２０４内に記憶されたログのイベントエントリとして記録することができる。このような監視は、コンピュータの挙動を連続的または周期的に監視するセキュリティプログラムと同様であり得る。
【００８３】
ブロック２５０２において、プロセッサ２４０４は、メモリ２４０４内に記憶されたシグネチャと突き合わせて挙動を比較する。例えば、イベントエントリは、データポイントなどを介して、シグネチャと突き合わせて比較される。
【００８４】
ブロック２５０４において、プロセッサ２４０４は、偏差が生じたかどうか、すなわち、挙動がシグネチャから逸脱したかどうかを決定する。逸脱していない場合、プロセッサ２４０４はブロック２５０８を実行する。さもなければ、プロセッサ２４０４はブロック２５０８を実行する。このブロックで、プロセッサは操作を実行する。このような操作は、光のターンオン／オフ、光強度の増加／減少、光の色変化、光のトーン変化、光のフラッシュオン／オフ、または電池の充電を延長し得る任意の他の光特性を含み得る。このプロセスは一例であり、追加か代替かを問わず、他のプロセスが使用され得ることに注意されたい。自己学習電池管理のためのプロセスのいくつかの例は、米国特許及び米国特許出願第６６３５９７４、８３５０５２９、８７１９１９５及び２０１３０２０７６１３号に開示されており、これらのそれぞれは、あらゆる目的のために参照によって本明細書に完全に組み込まれる。
【００８５】
図２６は、本開示に従った複数の光電変換基部のための複数の折れ線の複数の実施形態の概略図を示す。基部９０２ａにおいて、ディスク９０４は円形である。同様に、基部９０２ｂにおいて、ディスク９０４は四角形である。
【００８６】
ディスク９０４は、ディスク９０４の中心部を囲む複数の折れ線を含む。このディスクにおいて、中心部は収容具９０６を支持する。折れ線は中心部に接しており、ディスク９０４が折れ線に従って折り畳まれて共通の位置に向かうときにはＵ形状が形成され、または、ディスク９０４が折れ線に従って折り畳まれてディスク９０４の対向する両側の２つの異なる位置に向かうときにはＮ形状が形成されるようになっている。
【００８７】
図２７は、本開示に従った電球を含む懐中電灯の実施形態の斜視図を示す。懐中電灯２７００は、取っ手２７０２、及び電球１００を含む発光部２７０４を含む。
【００８８】
図２８は、本開示に従った電球を含む車両の実施形態の斜視図を示す。車２８００は、電球１００を含むヘッドライト２８０２を含む。車２８００が示されているが、陸上、航空、海上または宇宙など、任意の種類の車両が使用され得ることに注意されたい。例えば、車両は、有人か無人かを問わず、バン、バス、オートバイ、自転車、スケートボード、トラクター、タンク、トラック、ホバークラフト、ボート、船、潜水艦、ジェットスキー、トレーラ、飛行機、ヘリコプター、または任意の他の車両を含み得る。
【００８９】
図２９は、本開示に従った複数の電球を格納するコンテナの断面図を示す。本明細書に開示されるように、コンテナ２９００は複数の電球１００を格納する。
【００９０】
図３０は、本開示に従ったアダプタ及びこれに結合された電球、ならびに太陽電池式ランタンの斜視図を示す。本明細書に開示されるように、オングリッド構成３０００ａは、基部２００及びこれに結合された電球１００を含む。本明細書に開示されるように、オフグリッド構成３０００ｂは、基部９００など、各種の太陽電池式ランタンを含む。
【００９１】
図３１は、本開示に従った照明装置の実施形態の側面図を示す。本明細書に開示されるように、照明装置３１００は電球１００及び基部２００を含む。本明細書に開示されるように、電球１００と基部２００とは単一のユニットであり得ることに注意されたい。しかしながら、本明細書に開示されるように、他の実施形態では、電球１００と基部２００とが別個のユニットであり、互いに結合することができる。
【００９２】
図３２は、本開示に従った照明装置の実施形態の側面図を示す。図３７は、本開示に従った照明装置の実施形態の側面図を示す。照明装置３２００は電球１００を含む。台／基部１０２は電池を含み得ることに注意されたい。本明細書に開示されるように、この電池は、円筒形、充電可能または着脱可能であってもよい。従って、図３７に示すように、装置３２００は、懐中電灯、交通／夜間灯またはライトセーバー玩具として機能し得る。例えば、ケース１０４が十分に頑丈であり、台／基部１０２に固定的に取り付けられている場合、かつフィラメント１２０がケース１０４内で十分安定しており、台／基部１０２に固定されている場合、一対の装置３２００を使用して模造ライトセーバーの対戦を催すことができる。その場合、台／基部１０２は、ライトセーバー及びケース１０４の取っ手として機能してもよく、または、本明細書に開示されるように、フィラメント１２０は、赤、緑、青などの様々な色の照明を提供することができる。また、台／基部１０２は、電球１００を暗くするように構成された選択器２１５を含み得ることにも注意されたい。
【００９３】
図３３は、本開示に従った太陽電池式ランタンの実施形態の斜視図を示す。太陽電池式ランタン３３００は、複数の収容具９０６を有する単一の基部９００を含む。ここで、収容具９０６のそれぞれは、本明細書に開示されるように、電球１００を支持する。このランタンは、１つの方法または複数の異なる方法で照明光を出力してもよい。
【００９４】
図３４は、本開示に従った太陽電池式ランタンの実施形態の斜視図を示す。本明細書に開示されるように、太陽電池式ランタン３４００は、電球１００を支持する単一の収容具９０６を有する単一の基部９００を含む。
【００９５】
図３５は、本開示に従った電球の実施形態の側面図を示す。電球３５００は、基部２００、電球１００及びケース３５０２を含む。このケースは、本明細書に開示されるように、基部２００に結合されており、電球１００を収納する。ケース３５０２は球根状または洋ナシ形状であるが、他の形状が可能であることに注意されたい。
【００９６】
図３６は、本開示に従ったモジュールアセンブリの実施形態の側面図を示す。図３８は、本開示に従ったモジュール式部品システムの実施形態の側面図を示す。図３９は、本開示に従ったモジュール式部品システムの使用の実施形態の側面図を示す。モジュールアセンブリ３６００は、基部２００などのエジソンソケットアダプタ、電球１００などの光源、及びケース３５０２を含み、これらの全ては、モジュール式に交換可能である。
【００９７】
いくつかの実施形態において、電球１００は、包括的に、最小４００ルーメンの出力、初期３０００Ｋの相関色温度（ＣＣＴ）及び８０の演色評価数（ＣＲＩ）を有するＬｉｇｈｔｉｎｇ  Ｓｃｉｅｎｃｅ  Ｇｒｏｕｐ社の生体スペクトル、少なくとも１つのＬＥＤフィラメント片；各フィラメント上の高ＬＥＤダイ付着密度を可能にするためのフリップチップ型ＬＥＤダイ、高電圧ＤＣ入力、約３〜約６ワットの入力電力レベル、強化ガラス／低鉄ソーダ石灰ガラス／光学的に効率のよい同等の材料などのガラス材料、熱伝導のために充填された希ガス、ＡＮＳＩ  Ｃ７８．２１規格のＡ１９形状エンベロープに収まる寸法、金属／サーマルプラスチックなどの基部材料、押し・引き／ツイストロック／磁気ラッチング／ねじなどの光源取り付け機構、非常電池バックアップを有する。
【００９８】
いくつかの実施形態において、基部２００は、包括的に、約１００ボルト〜約２７７ボルトのＡＣ入力、ＬＥＤフィラメント片構成に基づいて変動し得るＤＣ出力、調光回路、任意の一体型無線（ＷｉＦｉ／ＢＬＥ）／有線（ＰＬＣ）制御モジュール、Ｅ２５／Ｅ２６／Ｅ２７／ＧＵ−２４などのねじ取り付けサイズ、及び金属／サーマルプラスチックなどのねじ基部材料を有することができる。
【００９９】
いくつかの実施形態において、ケース３５０２などの球体アダプタは、ガラス、強化ガラス／低鉄ソーダ石灰ガラス／プラスチック、石、または他の類似の材料を有することができ、ＡＮＳＩ  Ｃ７８．２１電球エンベロープに基づき可変的に寸法設定することができ、ねじ止めまたは締結、接着、嵌合などの球体取り付け機構を有することができる。
【０１００】
いくつかの実施形態において、オフグリッド電源基部などの基部９００は、単結晶／多結晶／薄膜太陽電池などの太陽電池パネル、Ｌｉポリマー／ＬｉＦｅＰＯ４／スーパーキャパシタなどの電池、充電／放電サイクルを最適化するための自己学習電池管理システム、屋外使用のための耐候性構造／密閉及び落下耐性、任意の無線モジュール（ＷｉＦｉ／ＢＬＥ／ＧＳＭ（登録商標）／ＧＰＳ）、及び可動性のための折り畳み機能を有してもよい。
【０１０１】
いくつかの実施形態において、コンテナ７０２、７０４または２９００のうちの少なくとも１つなどのパッケージは、１００％生物分解可能／堆肥可能及びリサイクル可能な材料であってもよく、２０ユニットの薄型ガラスバルブ光源などの単一のボックスパッケージであってもよく、または単一の標準コンテナであってもよい。パッケージは、約１１，０００，０００個の薄型ガラスバルブ光源、または２，２００，０００個のＥ２６ねじ基部アダプタ、または薄型ガラスバルブ光源とＥ２５／Ｅ２６／Ｅ２７ねじ基部アダプタとの１，８３０，０００個の組み合わせを含んでもよい。
【０１０２】
図４０Ａ〜４０Ｃは、複数の電球の複数の実施形態の複数の側面図を示す。ここで、電球のそれぞれは、本開示に従った各種の光学的特性を有する複数のＬＥＤフィラメントを含む。特に、図４０Ａ〜４０Ｃは複数の電球１００を示し、これらの電球１００は、フィラメントの構造、延長、方向または機能において互いに異なる。例えば、図４０Ａは、支持柱１１６に沿って互いに平行に長手方向に延在するフィラメント１２０Ａを示す。ここで、フィラメント１２０Ａは、互いに依存的か非依存的かを問わず、色、光度、色温度などの光学的特性または特徴において互いに異なる。図４０Ａは２つのフィラメント１２０Ａを示しているが、少なくとも３つ、４つ、５つ、６つ、７つ、８つまたはそれ以上など、２つよりも多いフィラメント１２０Ａを任意の長手方向パターンで使用できることに注意されたい。同様に、図４０Ｂは、支持柱１１６の回りに長手方向に編組されたフィラメント１２０Ｂを示す。ここで、フィラメント１２０Ｂは、互いに依存的か非依存的かを問わず、色、光度、色温度などの光学的特性または特徴において互いに異なる。図４０Ｂは２つのフィラメント１２０Ｂを示しているが、少なくとも３つ、４つ、５つ、６つ、７つ、８つまたはそれ以上など、２つよりも多いフィラメント１２０Ｂを任意の編組パターンで使用できることに注意されたい。同様に、図４０Ｃは、支持柱１１６の共通の側面に沿って重なり合って長手方向に延在し、かつ支持柱１１６と平行であるフィラメント１２０Ｃを示す。このとき、フィラメント１２０Ｃは、直列か並列かを問わず互いに電気的に結合されているか、互いに電気的に絶縁されているかのいずれかであるが、それでいて、支持柱１１６から垂直に延在し複数のスペーサ１１６ａによって互いに仕切られている。従って、図４０Ａ〜４０Ｃに示すように、互いに依存的か非依存的かを問わず、フィラメント１２０Ａ、１２０Ｂまたは１２０Ｃは、フィラメントの構造、延長、方向、または色、光度、色温度などの機能などを介して、任意の置換または組み合わせ方法において、互いに同一であり得、または異なり得る。例えば、フィラメント１２０Ａ、１２０Ｂまたは１２０Ｃのそれぞれは、追加的または代替的に照射させることができ、各種の色、光度、色温度などの混合、または単一の色、光度もしくは色温度を生じさせることができる。
【０１０３】
図４１は、本開示に従った光度スケールとケルビンスケールとの間の関係の実施形態を表す図を示す。いくつかの実施形態において、色温度が増加すると光度が増加する関係があることに注意されたい。
【０１０４】
いくつかの実施形態において、各種の機能または行為は、所与の位置で、かつ／または１つ以上の機器またはシステムの操作に関連して行うことができる。いくつかの実施形態において、所与の機能または行為の一部は第１の装置または位置で実行することができ、機能または行為の残りは１つ以上の追加的な装置または位置で実行することができる。
【０１０５】
以下の特許請求項における、全てのミーンズプラスファンクション要素またはステッププラスファンクション要素の対応する構造、材料、行為及び均等物は、具体的に請求されているように他の請求された要素と組み合わせて、当該機能を実行するためのあらゆる構造、材料または行為を含むことを意図する。実施形態は、本開示の原理及び実用上の用途を最もよく説明し、企図される特定の使用に適するような各種変更を伴う各種実施形態について他の当業者が本開示を理解することを可能にするために選択され、説明された。
【０１０６】
本明細書に示した図は例示的である。本開示の趣旨から逸脱することなく、本明細書に記載された図またはステップ（もしくは操作）に対して多くの変形が存在可能である。例えば、ステップは、異なる順序で実行することができ、または、ステップは、追加、削除もしくは修正することができる。これらの変形の全ては、本開示の一部とみなされる。当業者が、現在と将来との両方において、後続する特許請求の範囲に含まれる各種の改良及び拡張を行うことができることが理解されよう。
【０１０７】
本開示の説明は、例示及び説明の目的で示されてきたが、完全に網羅的であること及び／または開示された形態の開示に限定されることを意図するものではない。技術及び構造における多くの修正及び変形は、後続する特許請求の範囲に記載されたように本開示の範囲及び趣旨から逸脱することなく当業者にとって明らかとなるであろう。従って、このような修正及び変形は、本開示の一部であるものとして企図される。本開示の範囲は、様々な特許請求項によって定められる。これらの特許請求項は、本開示の出願時において既知の均等物及び予見不可能な均等物を含む。
【図１】
2019530196.tif 000003
【図２】
2019530196.tif 000004
【図２ａ】
2019530196.tif 000005
【図３】
2019530196.tif 000006
【図３ａ】
2019530196.tif 000007
【図４ａ】
2019530196.tif 000008
【図４ｂ】
2019530196.tif 000009
【図５】
2019530196.tif 000010
【図６】
2019530196.tif 000011
【図７】
2019530196.tif 000012
【図８】
2019530196.tif 000013
【図９】
2019530196.tif 000014
【図９ａ】
2019530196.tif 000015
【図９ｂ】
2019530196.tif 000016
【図１０】
2019530196.tif 000017
【図１１】
2019530196.tif 000018
【図１２】
2019530196.tif 000019
【図１３】
2019530196.tif 000020
【図１４】
2019530196.tif 000021
【図１５】
2019530196.tif 000022
【図１６】
2019530196.tif 000023
【図１７】
2019530196.tif 000024
【図１８】
2019530196.tif 000025
【図１９】
2019530196.tif 000026
【図２０】
2019530196.tif 000027
【図２１】
2019530196.tif 000028
【図２２】
2019530196.tif 000029
【図２３】
2019530196.tif 000030
【図２４】
2019530196.tif 000031
【図２５】
2019530196.tif 000032
【図２６】
2019530196.tif 000033
【図２７】
2019530196.tif 000034
【図２８】
2019530196.tif 000035
【図２９】
2019530196.tif 000036
【図３０】
2019530196.tif 000037
【図３１】
2019530196.tif 000038
【図３２】
2019530196.tif 000039
【図３３】
2019530196.tif 000040
【図３４】
2019530196.tif 000041
【図３５】
2019530196.tif 000042
【図３６】
2019530196.tif 000043
【図３７】
2019530196.tif 000044
【図３８】
2019530196.tif 000045
【図３９】
2019530196.tif 000046
【図４０Ａ】
2019530196.tif 000047
【図４０Ｂ】
2019530196.tif 000048
【図４０Ｃ】
2019530196.tif 000049
【図４１】
2019530196.tif 000050
【手続補正書】
【提出日】令和1年5月23日(2019.5.23)
【手続補正１】
【補正対象書類名】特許請求の範囲
【補正対象項目名】全文
【補正方法】変更
【補正の内容】
【特許請求の範囲】
【請求項１】
装置であって、
台と、ケースと、ＬＥＤフィラメントとを含む電球を含み、前記台は前記ケースに結合され、前記台は前記ＬＥＤフィラメントに結合され、前記ケースは前記ＬＥＤフィラメントを封入し、前記ケースは管状であり、前記ＬＥＤフィラメントは前記ケースに沿って長手方向に延在する、前記装置。
【請求項２】
前記ケースは、以下の少なくとも一つを満たす、
−前記台に対して遠位の端部を含み、前記ケースは、前記台と前記端部との間で直径が均一である、
−長手方向に直線状であり、前記台から離れる方向に延在する長さを含み、前記長さを横断する平面に沿った断面において多角形である、
−前記台から離れる方向に延在する長さを含み、前記ケースは、前記長さを横断する平面に沿った断面においてコーナーレスである、
請求項１に記載の装置。
【請求項３】
前記台は、前記ＬＥＤフィラメントに電力供給するための雌型部分、前記ＬＥＤフィラメントに電力供給するための雄型部分、及び、前記ケースと面一である側壁の少なくとも一つを含む、請求項１〜２のいずれか一項に記載の装置。
【請求項４】
前記ＬＥＤフィラメントは複数のＬＥＤフィラメントを含む、請求項１〜３のいずれか一項に記載の装置。
【請求項５】
前記ＬＥＤフィラメントは複数のＬＥＤフィラメントを含み、
前記ＬＥＤフィラメントは、以下の何れか一つを満たす、
−互いに平行に延在する、
−重なり合って延在する、
−前記ケースの共通の側面に沿って延在する、
請求項１〜４のいずれか一項に記載の装置。
【請求項６】
前記電球は支持柱を含み、前記ＬＥＤフィラメントは前記支持柱の回りで編組される、請求項１〜５のいずれか一項に記載の装置。
【請求項７】
ねじと壁とを含むアダプタを更に含み、前記ねじは前記壁に結合され、前記壁は、前記電球を収容し、前記ＬＥＤフィラメントに電力供給するように構成された孔を画定する、請求項１〜６のいずれか一項に記載の装置。
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
装置であって、
台と、ケースと、ＬＥＤフィラメントとを含む電球を含み、前記台は前記ケースに結合され、前記台は前記ＬＥＤフィラメントに結合され、前記ケースは前記ＬＥＤフィラメントを封入し、前記ケースは管状であり、前記ＬＥＤフィラメントは前記ケースに沿って長手方向に延在する、前記装置。
【請求項２】
前記ケースは、以下の少なくとも一つを満たす、
−前記台に対して遠位の端部を含み、前記ケースは、前記台と前記端部との間で直径が均一である、
−長手方向に直線状であり、前記台から離れる方向に延在する長さを含み、前記長さを横断する平面に沿った断面において多角形である、
−前記台から離れる方向に延在する長さを含み、前記ケースは、前記長さを横断する平面に沿った断面においてコーナーレスである、
請求項１に記載の装置。
【請求項３】
前記台は、前記ＬＥＤフィラメントに電力供給するための雌型部分、前記ＬＥＤフィラメントに電力供給するための雄型部分、及び、前記ケースと面一である側壁の少なくとも一つを含む、請求項１〜２のいずれか一項に記載の装置。
【請求項４】
前記ＬＥＤフィラメントは複数のＬＥＤフィラメントを含む、請求項１〜３のいずれか一項に記載の装置。
【請求項５】
前記ＬＥＤフィラメントは複数のＬＥＤフィラメントを含み、
前記ＬＥＤフィラメントは、以下の何れか一つを満たす、
−互いに平行に延在する、
−重なり合って延在する、
−前記ケースの共通の側面に沿って延在する、
請求項１〜４のいずれか一項に記載の装置。
【請求項６】
前記電球は支持柱を含み、前記ＬＥＤフィラメントは前記支持柱の回りで編組される、請求項１〜５のいずれか一項に記載の装置。
【請求項７】
ねじと壁とを含むアダプタを更に含み、前記ねじは前記壁に結合され、前記壁は、前記電球を収容し、前記ＬＥＤフィラメントに電力供給するように構成された孔を画定する、請求項１〜６のいずれか一項に記載の装置。
【請求項８】
複数の光電変換セルを含むディスクと、
前記ディスクを介して支持された収容具であって、前記電球を収容し、前記光電変換セルに基づいて前記ＬＥＤフィラメントに電力供給するように構成された前記収容具と
を更に含む、請求項１〜７のいずれか一項に記載の装置。
【請求項９】
前記ディスクはジグソータイル形状である、請求項８に記載の装置。
【請求項１０】
装置であって、
ねじと壁とを含むアダプタを含み、前記ねじは前記壁に結合され、前記壁は、前記電球を収容し、前記電球に電力供給するように構成された孔を画定する、前記装置。
【請求項１１】
前記孔は、以下の少なくとも一つを満たす、
−前記電球を係合するように構成された雄型部分を含む基部を含む、
−前記電球を係合するように構成された雌型部分を含む基部を含む、
−複数の孔を含む、
−前記電球と係合するように構成されたタブを含む側壁を含む、
−前記電球と磁気的に係合するように構成されている、
−前記電球を締結的に収容するように構成されている、
請求項１０に記載の装置。
【請求項１２】
前記壁は、交差する複数の壁、又は、前記電球を制御するように構成された段階的レベル選択器のうちの少なくとも１つを含む、請求項１０〜１１のいずれか一項に記載の装置。
【請求項１３】
前記ねじは、以下の少なくとも一つを満たす、
−メモリを含む、
−プロセッサを含む、
−センサを含む、
−送信機を含む、
−受信機を含む、
−エネルギー貯蔵部を含む、
請求項１０〜１２のいずれか一項に記載の装置。
【請求項１４】
装置であって、
複数の光電変換セルを含むディスクと、
前記ディスクを介して支持された収容具であって、電球を収容し、前記光電変換セルに基づいて前記電球に電力供給するように構成された前記収容具と
を含む、前記装置。
【請求項１５】
前記収容具は、以下の少なくとも一つを満たす、
−漏斗形状である、
−前記電球を係合するように構成された雄型部分を含む、
−前記電球を係合するように構成された雌型部分を含む、
−前記電球を収容するように構成された孔を含み、前記孔は、前記電球を係合するように構成されたタブを含む側壁を含む、
−前記電球を収容するように構成された孔を含み、前記孔は、前記電球と磁気的に係合するように構成されている、
−前記電球を収容するように構成された孔を含み、前記孔は、前記電球を締結的に収容するように構成されている、
−複数の収容具を含む、
請求項１４に記載の装置。
【請求項１６】
前記ディスクは円形状、四角形状、ジグソータイル形状の少なくとも一つである、請求項１４〜１５のいずれか一項に記載の装置。
【請求項１７】
装置であって、
非ねじ式孔を有する壁を含む照明器具を含み、前記非ねじ式孔は、前記電球を固定的に収容し、前記電球に電力供給するように構成されている、前記装置。
【国際調査報告】
2019530196.tif 000051
2019530196.tif 000052
2019530196.tif 000053